(57)【要約】  本発明は、特に失禁処理用の、腰ベルト（１０）を備える使い捨てオムツ（２）に関する。該腰ベルトは各腰ベルト部分（１０１、１０２）を備え、各腰ベルト部分（１０１、１０２）の少なくとも一方は切り離し手段（Ｔ、Ｌ）を備え、該切り離し手段を用いて少なくとも１つの末端部分（１０１１、１０２１）を分離して、ベルトの長さをさまざまな腰周り寸法に適合させることができる。
2008515497.tif 000002
【特許請求の範囲】
【請求項１】
特に失禁処理用の、腰ベルト（１０）を持つ使い捨てオムツ（２）において、前記腰ベルト（１０）は、第１の末端部分（１０１１）を持つ第１の腰ベルト部分（１０１）と、第２の末端部分（１０２１）を持つ第２の腰ベルト部分（１０２）とを備え、そして第１及び第２の腰ベルト部分は、閉じた腰周りを形成するために、第１の締結手段（２６）によって互いに固定することができ、そしてオムツ本体（４）は、前当てと、背当てと、その間にある股ぐりとを備え、前記オムツ本体は液体に対する吸収体（６）を備え、その際、前記オムツ本体（４）は、その前当てまたは背当ての長手末端を、第２の締結手段（３４）を介して腰ベルト（１０）に、再分離可能な状態で次のように固定することができ、すなわちユーザーが腰ベルト（１０）を装着するとき、オムツ本体（４）を両足の間から手繰り寄せ、オムツ本体（４）のまだ自由な長手末端を腰ベルト（１０）に、再分離可能な状態で固定することができる、使い捨てオムツであって、各腰ベルト部分（１０１、１０２）の少なくとも一方が切り離し手段（Ｔ、Ｌ）を備え、この切り離し手段を用いて、少なくとも一方の末端部分（１０１１、１０２１）を分離できる（ので、ベルトの長さをさまざまな腰周り寸法に適合できる）ことを特徴とする、使い捨てオムツ。
【請求項２】
第１の腰ベルト部分（１０１）は、広げられた状態のとき、横方向（１４）に本体（４）の長手周縁（１６）から突出する長さが、第２の腰ベルト部分（１０２）の同様に突出する長さよりも大きく、特には１００ｍｍ、特には２００ｍｍ、特には３００ｍｍ、さらに特には４００ｍｍ大きいことを特徴とする、請求項１に記載の使い捨てオムツ。
【請求項３】
各腰ベルト部分（１０１、１０２）の少なくとも一方は、広げられた状態で横方向（１４）に本体（４）の長手周縁（１６）から突出する寸法が、少なくとも２００ｍｍ、特には少なくとも３００ｍｍ、特には少なくとも４００ｍｍ、特には少なくとも５００ｍｍ、さらに特には少なくとも６００ｍｍ、特には少なくとも７００ｍｍ、さらに特には少なくとも８００ｍｍであることを特徴とする、請求項１から２のいずれか一項に記載の使い捨てオムツ。
【請求項４】
各腰ベルト部分（１０１、１０２）の少なくとも一方が、切り離し手段（Ｔ、Ｌ）を少なくとも２つ、好ましくは少なくとも３つ、特に好ましくは少なくとも４つ備え、したがって複数のまたは異なる長さの末端部分（１０１１、１０２１）を分離できることを特徴とする、請求項１から３のいずれか一項に記載の使い捨てオムツ。
【請求項５】
１つまたは複数の切り離し手段（Ｔ、Ｌ）が、弱化された線（Ｌ）特にはミシン目線（Ｌ）によって形成され、その線の方向はオムツ長手方向の成分を持つことを特徴とする、請求項１から４のいずれか一項に記載の使い捨てオムツ。
【請求項６】
少なくとも一方の分離可能な末端部分（１０１１、１０２１）は、オムツ横方向における寸法が少なくとも２０ｍｍ、好ましくは３０から８００ｍｍ、好ましくは５０から６００ｍｍ、好ましくは６０から５００ｍｍ、好ましくは７０から４００ｍｍ、特に好ましくは８０から３００ｍｍ、特に好ましくは９０から２００ｍｍであることを特徴とする、請求項１から５のいずれか一項に記載の使い捨てオムツ。
【請求項７】
分離可能な各部分は、オムツの横方向において大きさの異なる寸法を持つことを特徴とする、請求項４から６のいずれか一項に記載の使い捨てオムツ。
【請求項８】
腰ベルト（１０）が左右両側で、オムツの長手方向（１８）に延びる折り目線（２０）により上下に折り畳まれることを特徴とする、請求項１から７のいずれか一項に記載の使い捨てオムツ。
【請求項９】
第１の腰ベルト部分（１０１）の折り幅（Ｆ１、ｌ）が、第２の腰ベルト部分（１０２）の折り幅（Ｆ２、ｌ）よりも大きいことを特徴とする、請求項８に記載の使い捨てオムツ。
【請求項１０】
腰ベルト（１０）が折り畳まれた形のまま、再分離可能な状態で固定されていることを特徴とする、請求項８または９に記載の使い捨てオムツ。
【請求項１１】
前記再分離可能な固定が、上下に折り重ねられた腰ベルトの小部分（３０）間の固定箇所（３２）または固定領域によって形成されることを特徴とする、請求項１０に記載の使い捨てオムツ。
【請求項１２】
前記固定箇所（３２）または固定領域がほぼスポット状であることを特徴とする、請求項１１に記載の使い捨てオムツ。
【請求項１３】
腰ベルト（１０）が左右両側で、オムツの長手方向（１８）に延びる３本または４本の折り目線（２０）それぞれにより、上下に重ねて折り畳まれることを特徴とする、請求項１から１２のいずれか一項に記載の使い捨てオムツ。
【請求項１４】
腰ベルト（１０）は折り畳まれた形のとき、その掴みしろ（２４）が、横方向（１４）にオムツ本体（４）の長手側縁（１６）を越えて突出することを特徴とする、請求項１から１３のいずれか一項に記載の使い捨てオムツ。
【請求項１５】
腰ベルト（１０）は、長手方向（１８）の寸法が３０から１２０ｍｍ、特には３０から１００ｍｍ、特には３０から８０ｍｍ、特には３０から７５ｍｍ、特には４４から７０ｍｍ、特には４０から６５ｍｍ、さらに特には４０から６０ｍｍであることを特徴とする、請求項１から１４のいずれか一項に記載の使い捨てオムツ。
【請求項１６】
腰ベルト（１０）が一体型の素材（８）で形成されていることを特徴とする、請求項１から１５のいずれか一項に記載の使い捨てオムツ。
【請求項１７】
腰ベルトが再分離不可能な状態で、本体（４）の外側（１２）に取り付けられていることを特徴とする、請求項１から１６のいずれか一項に記載の使い捨てオムツ。
【請求項１８】
一体型の素材（８）が、特には領域ごとの接着剤塗布（４４）だけで、オムツ本体（４）に取り付けられていることを特徴とする、請求項１７または１８に記載の使い捨てオムツ。
【発明の詳細な説明】
【技術分野】
【０００１】
本発明は、特に失禁処理用の、使い捨てオムツに関する。該オムツは、第１の末端部分をともなう第１の腰ベルト部分と、第２の末端部分をともなう第２の腰ベルト部分とに分かれる、腰ベルトを備える。そして第１と第２の腰ベルト部分は、閉じた腰周りを形成するための第１の締結手段によって、互いに固定することができる。また該オムツは、前当て、背当て、その間の股ぐりを持つオムツ本体を備え、該オムツ本体は液体に対する吸収体を持つ。該オムツ本体はその前当てと背当ての長手末端を、第２の締結手段によって、再分離可能な状態で腰ベルトに次のようにして固定できる。すなわち、ユーザーが腰ベルトを装着するとき、両脚の間からオムツ本体を手繰り寄せ、オムツ本体の自由な長手末端を腰ベルトに、再分離可能な状態で固定される。
【背景技術】
【０００２】
この種の使い捨てオムツは、例えば米国特許第２００１００３４５１２Ａ１号明細書または欧州特許第１２６９４９Ａ２号明細書から公知である。
【０００３】
この種の使い捨てオムツの利点は、ユーザーがオムツを装着するとき、まず腰ベルトを腰周りに装着し、通常は腹部領域で閉じることができる点である。その間、使い捨てオムツは、オムツ本体が固定されずに下方に垂れており、その背当てが通常はベルトに固定されている。次にユーザーは、腰ベルトを閉じた後、オムツ本体の自由に自由に垂れている末端を掴み、後ろから両脚の間を手繰り寄せて、オムツ本体の自由な長手末端を、腰ベルトの内側または外側に、再分離可能な状態で固定する。第１の締結手段はこのために設けられている。使い捨てオムツの装着は、次のように行うこともできることは自明である。すなわち、腰ベルトを装着して閉じた後、下方に垂れるオムツ本体を、前から後ろに向かってユーザーの両足の間を通し、この場合は背当てを腰ベルトに、再分離可能な状態で固定することができる。しかし、次のような使い捨てオムツ、すなわちオムツ本体全体を腰ベルトから取り外すことができ、したがってユーザーが重度の介護が必要で寝たきりの場合、使い捨てオムツの取り扱いに十分な融通性が得られるようなオムツも知られている。
【０００４】
この種の使い捨てオムツは特に成人に用いられる。成人は乳幼児よりも腰周り寸法の個人差が大きい。それにともなって、オムツをユーザーの腰周り寸法に合わせるには、上記の使い捨てオムツは融通性に欠けるという問題が生じる。
【０００５】
国際公開第０２２２０６３Ａ１号パンフレットは、すでにこの問題の解決法を開示している。その提案は、ベルトの両半分の一方に接着剤を施して、この一方を畳み込めるようにし、ベルト両半分の他方だけで、閉じた腰周りを形成するというものである。
【０００６】
この解決法の欠点は、１つにはベルトの一方の半分を畳み込むプロセスが、ユーザーには非常に手間のかかるものに感じられることである。そのほか折り畳まれたベルト半分は塊りを形成する。折り目もまた、特にベッドに寝ているユーザーには、体を圧迫する箇所となる。特に長さ調節の際に望まれる融通性は、きわめてわずかしか改善されない。なぜならばこのオムツは、特に腰周り寸法が非常に大きい場合と、非常に小さい場合しか調節できないからである。
【特許文献１】米国特許第２００１００３４５１２Ａ１号公報
【特許文献２】欧州特許第１２６９４９Ａ２号公報
【特許文献３】国際公開第０２２２０６３Ａ１号公報
【発明の開示】
【発明が解決しようとする課題】
【０００７】
本発明の課題は、冒頭に挙げた種類の使い捨てオムツを、上記の問題について改善し、特に長さ調節の融通性を向上し、その際ユーザーにとって、既知の解決法よりも取扱いやすくすることである。
【課題を解決するための手段】
【０００８】
本発明はこの課題を、上記の種類の使い捨てオムツにおいて、次のようにして解決する。すなわち、両方の腰ベルト部分の少なくとも一方に切り離し手段を設け、この切り離し手段を用いて、少なくとも一方の末端部分を分離可能として、この方法によりベルトの長さをさまざまな腰周り寸法に簡単に適合できるようにする。
【０００９】
したがって両方の腰ベルト部分の少なくとも一方は長さを短くすることができるので、ユーザーにとっては、閉じた腰ベルトが形成する腰周りを自分の腰周り寸法に適合させるのが、非常に簡単になる。
【００１０】
本発明の１つの好ましい実施形態では、第１の腰ベルト部分を広げたとき、折り畳まれていない状態において、その横方向にオムツ本体の長手周縁から突出する長さが、第２の腰ベルト部分の同様に突出する長さよりも大きく、好ましくは１００ｍｍ、特に好ましくは２００ｍｍ、さらに好ましくは３００ｍｍ、かなり好ましくは４００ｍｍ長いものとする。このような場合、少なくとも第１の腰ベルト部分に、好ましくはこの部分だけに、１つまたは複数の切り離し手段を設けるのが有利である。
【００１１】
好ましい方法として、第１の締結手段は、接着性または機械的なエレメントにより形成されるものとし、該エレメントは、特に第２の腰ベルト部分の末端に設けられるものとする。特に好ましい方法として、この第１の締結手段は、マジックテープ（登録商標）により形成されるものとする。特にかなり好ましい方法として、このマジックテープ（登録商標）は、閉じた腰周りを固定するため、第１の腰ベルト部分の外側の少なくとも一部に作用させ得るものとする。
【００１２】
切り離し手段は、一方の腰ベルト部分の末端部分を分離しやすくするに適する限り、それ自体任意の仕様とすることができる。特には、ミシン目または切り取り溝のように線状に弱化させるのが有利である。包装材から知られている開封糸も適している。同様に好ましいな方法として、腰ベルトを形成する材料に、熱処理によって特別な線状の弱化を施すこともできる。切り離し手段は、簡単な方法として小さい切り欠きで形成し、腰ベルトを引けばそこで裂け目を生じ易くするようにもできる。
【００１３】
本発明の発展形態として、一方のまたは両方の腰ベルト部分に、上記の種類の切り離し手段を複数設けて、長さ調節の融通性をさらに向上させることが提案される。
【００１４】
少なくとも一方の分離可能な末端部分は、そのオムツ横方向における長さを少なくとも２０ｍｍ、好ましくは３０から８００ｍｍ、特に好ましくは５０から６００ｍｍ、かなり好ましくは６０から５００ｍｍ、特に好ましくは７０から４００ｍｍ、さらに特には９０から２５０ｍｍとする。複数の分離可能な部分を設ける場合、これらの部分はその横方向長さを同じくすることも、異なるものとすることもできるのは、自明のことである。
【００１５】
好ましい方法として、本発明によるオムツの腰ベルトを一体型の素材で形成し、該切断物をオムツ本体に、再分離可能な状態で、または再分離不可能な状態で取り付けるものとする。面で取り付けられているので、引張力がオムツ本体に導かれることはなく、抗張力あるベルト材料によってすべて吸収することができる。本体を形成する表面材を選択すると、これによりさらに融通が利くようになる。また、本体におけるベルト取付部の安定性に対する要求が小さくなる。ベルトを形成する素材は、製造方向に供給される材料シートを、長手方向において１箇所切断するだけで得られる。
【００１６】
本発明のもう１つの実施形態として、腰ベルトの左右両側を、オムツの長手方向に延びる折り目で上下に重ねて折り畳めば、有利であることがわかっている。好ましい方法として、腰ベルトの左右両側を折り畳まれた形のまま、再分離可能な状態で固定する。したがって腰ベルトは、高速運転される製造機械内部で、意図せずして広げられたり、開かれたりすることはない。腰ベルトを畳み、再分離可能な状態で固定して、折り畳まれた形を作ることにより、製造機械内で好ましい方法により、非常に長い腰ベルトを本体に取り付けることが可能となる。
【００１７】
本発明の発展形態として、上記の腰ベルトの左右両側の再分離可能な状態での固定は、腰ベルトを形成する素材において、その上下に重ねて折り畳まれた小部分の固定箇所、または固定領域によって行われていることが好ましい。しかし折り畳まれた形を、そのほかの保持手段、例えば剥がすことができるテープ断片を用いて、再分離可能な状態で固定することもできるであろう。
【００１８】
本体に取り付けられて腰ベルトを形成する素材において、上下に重ねて折り畳まれた小部分を、再分離可能な状態で固定することは、上記に述べた通りであり、またこれを広げるのは一動作で行えるのが好ましい。このような固定は、例えば冷間圧接、熱を利用する圧接（熱シール）、ニードルパンチ、特に高温ニードルパンチ、あるいは超音波溶接またはレーザー溶接、あるいは類似する作用の固定法によって得られる。
【００１９】
もっとも単純な場合この素材が、長手中心軸の左右両側で１本の折り目により上下に重ねて折り畳まれ、その結果、２つの小部分が上下に重なり、ないしは互いに密着する。しかし好ましくはこの素材は、少なくとも２本の折り目で折り畳まれ、その結果Ｚ字形の断面が生じるものとする。もう１つの好ましい実施形態では、素材が３本の折り目で上下に重ねて折り畳まれる。さらにもう１つの好ましい実施形態では、素材が４本の折り目で上下に重ねて折り畳まれる。
【００２０】
本発明によるベルト式オムツのもう１つの好ましい実施形態で、腰ベルトは、特に腰ベルトの一体型の素材は、折り畳まれた形のとき、その掴みしろがオムツ本体の長手側縁を越えて、横方向に突出する。この掴みしろは、特には腰ベルトの自由な各末端で形成することができる。
【００２１】
一体型の素材を広げる前に、この掴みしろは、好ましくは横方向に外側を、したがって互いに遠ざかる側を向き、そして平らなバックシートの上に広げられたオムツ本体の長手中心軸から遠ざかる側を向くものとする。その結果ユーザーは、左側から左手で、右側から右手で、掴みしろを問題なく把握することができる。このベルト式オムツは、重度の介護を必要とする人に用いる場合、特に有利である。したがってこのベルト式オムツは例えば、介護を必要とする患者が横向きに寝ているときでも、該患者に高頻度で装着することができる。この場合、本体の左右に突出する素材は、患者の下を通さなければならない。患者の下を通すというこのプロセスは、このベルトを形成する素材が折り畳まれて、再分離可能な状態で固定されていることにより、著しく簡単になる。
【００２２】
素材において、その上下に重ねて折り畳まれた小部分を、再分離可能な状態で、小部分同士、かつ場合によっては本体にも固定するため、好ましくはほぼスポット状の固定箇所を複数設ける。スポット状の固定箇所とは、前述の方法による場合、これらの固定箇所の面積が、（本体のＸ‐Ｙ平面上に投影した場合）５ｍｍ2以下、特には２ｍｍ2以下、さらに特には１ｍｍ2以下であることを意味する。これらの固定箇所は、厳密にスポット状、または円形である必要はない。スポットまたは円形とは異なる形状、例えば三角形、四角形、多角形または楕円形も考えられ、有利である。素材において、上下に折り畳まれた小部分を、再分離可能な状態で互いに固定するのは、熱または超音波によって生じたスポット状の固定箇所によるのが好ましい。
【００２３】
腰ベルトを形成する素材が広げられた状態にあるとき、それが横方向にオムツ本体の長手周縁から突出する長さは、少なくとも２００ｍｍ、特には少なくとも３００ｍｍ、特には少なくとも４００ｍｍ、特には少なくとも５００ｍｍ、さらに特には少なくとも６００ｍｍ、さらに特には少なくとも７００ｍｍ、特に好ましくは少なくとも８００ｍｍとする。オムツ本体長手方向における腰ベルトの寸法は、３０から１２０ｍｍ、特には３０から１００ｍｍ、特には３０から８０ｍｍ、特には３０から７５ｍｍ、特には４４から７０ｍｍ、さらに特には４０から６５ｍｍ、さらに特には４０から６０ｍｍとする。
【００２４】
この一体型の素材は、好ましい方法として、分離不可能な状態でオムツ本体の外側に取り付けられるものとする。この取付は、それ自体任意の方法で行うことができる。しかし該一体型の素材は、好ましい方法として、領域ごとに接着剤を塗布するだけで、オムツ本体に取り付けることができる。特にはこの接着剤が、素材及び本体の接触面の周縁までは塗布されず、したがってこの組み合わせ物の周縁領域を接着剤が塗布されないままにすれば、有利である。このような場合、積層の際に接着剤が各層の間から外部に押し出されないという利点がある。
【００２５】
本発明の種類の使い捨てオムツを製造する方法も、本発明の対象である。この方法は、下記の手順段階を特徴とする。
【００２６】
腰ベルトを製造するため、素材を形成するエンドレスな材料シートを供給する。
【００２７】
長手方向に延びる折り目により、材料シートを折り畳む。その際この材料シートは、長手中心軸の左右両側で上下に重ねて折り畳まれる。
【００２８】
腰ベルトを製造するため、折り畳まれた材料シートの長手方向を切断したものを分離して、一体型の素材をそれぞれ形成する。
【００２９】
その素材をオムツ本体に、分離不可能な状態で固定する。
【００３０】
本発明による方法の好ましい発展形態を、従属請求項に記載した。特には、腰ベルトを形成する一体型の素材を、接着剤によってオムツ本体に取り付けるのが、有利である。さらには、そのため接着剤を、素材が分離される材料シートに、長手方向に間隔を取る各領域に分けて塗布するのが好ましい。この場合それぞれの切断領域には、接着剤を塗布しないのが好ましい。
【００３１】
さらには、接着剤を材料シートの各領域に分けて塗布する際、その接着剤は、長手方向において、そして好ましくは横方向においても、後に分離される材料シート切断物の周縁から間隔を取って塗布されるのが好ましい。このような場合、接着剤はクロックパルスにより材料シートに塗布されるのが好ましい。
【００３２】
本体に取り付けられたこの一体型の素材は、好ましくは不織布から形成されるものとする。特にそして好ましくはスパンボンド材料（Ｓ）、またはスパンボンド‐メルトブロウン材料（ＳＭ）、または両側にスパンボンド材料を施されたメルトブロウン層（ＳＭＳ）、またはカーディングされた不織布材料も用いることができる。不織布ラミネート、すなわち特には該不織布材料の２層、３層または多層組み合わせを用いることもできる。各層の結合は、それ自体通常行われている公知の方法により、例えば高温による接合法（溶接、特にレーザー溶接、ホットメルト法、エアスルー法）により、または超音波溶接法により行うことができる。不織布材料の冷間圧接、ニードルパンチ、縫い付け、または接着も考えられる。織布、メリヤス、ニットとの結合、すなわち広い意味の紡織結合を備える材料が考えられる。熱可塑性材料及び特には弾性材料からなるフィルムとして、しかも多層フィルムラミネートとしての同フィルムも用いることができる。好ましい方法として、不織布／フィルムラミネートを使用することができ、これは少なくとも１つのフィルム層、及び少なくとも１つの不織布層、織布材料の少なくとも１層を含むものとする。フィルム層は、特に腰ベルトに弾性領域を設けるために用いられる。各層の結合は、これも前述の諸方法により行うことができる。
【００３３】
好ましくはこの素材を、少なくとも各部分ごとに通気性を持たせるものとする。この場合特に微孔性であれば、通気性だけでなく、水蒸気のような水分を透過するので、有利とみなされる。該素材は、好ましい方法としてその面積あたり重量を２０から１５０ｇ／ｍ2、特には３０から１００ｇ／ｍ2、好ましくは４０から８０ｇ／ｍ2とする。
【００３４】
本発明のそのほかの事項、詳細、利点を、添付の特許請求の範囲、図面、本発明のオムツの好ましい実施形態に関する下記の説明に記載した。
【００３５】
図１及び２は使い捨てベルト式オムツ２を模式的に示し、このオムツは本体４及びここには概略のみ示した吸収体６とを備える。本体４には一体型の素材８が取り付けられており、これがベルト式オムツの腰ベルト１０を形成する。図１はベルトが広げられた状態を示し、図２はベルトが畳まれた状態を示す。図１では、まず本体４の側縁から突出する腰ベルト部分１０１に、互いに間隔を取る２つの切り離し手段Ｔ、すなわちミシン目線Ｌを記載する。該一体型の素材８は、本体４の外側１２に、分離不可能な状態で取り付けられ、これについてさらに詳しく説明する。この素材は広げられた状態のとき、ベルト式オムツ２の横方向１４において、オムツ本体左右の長手周縁１６を越えて、それぞれ少なくとも３００ｍｍ、特には少なくとも４００ｍｍ、特には少なくとも５００ｍｍ、特には少なくとも６００ｍｍ突出する。図１の場合、素材の第1の部分１０１は、素材の第2の部分１０２よりも明らかに長い。すなわち第１の腰ベルト部分１０１は広げられた状態のとき、横方向１４に本体４の長手周縁１６を越える長さが、第２の腰ベルト部分１０２の同様な長さよりも大きく、好ましくは１００ｍｍ大きく、さらに好ましくは２００ｍｍ、特に好ましくは３００ｍｍ大きいものとする。
【００３６】
図２では一体型の素材８が、オムツ長手方向１８の左右両側で、折り目２０によって上下に重なるよう何回も折り畳まれている。素材８の自由な各末端２２は、掴みしろ２４を形成して、長手周縁１６を越えて少なくとも１０ｍｍ突出し、ユーザーの指はこの掴みしろを把握する。第１の腰ベルト部分１０２の末端２２には締結エレメント２６が設けられている。該部分は、例えば接着性または好ましくは機械的な締結エレメントを備えるストラップである。腰ベルト１０を閉じて腰周りの円周を閉じるならば、このストラップは、第１の腰ベルト部分１０１における突合せ領域と、またはその締結手段相方と、特には第１の部分の外面全体と、再分離可能な状態で捕捉しながら相互作用することができる。好ましい方法として、腰ベルトの外面は、例えば織布または不織布のような繊維材料を含むものとし、これらの材料を締結手段２６と直接作用させるものとする。
【００３７】
一体型の素材８において、上下に重ねて折り畳まれた小部分３０は、再分離可能な状態で互いに固定されている。この固定は、ある個数のほぼスポット状の固定箇所３２によって行われ、この固定箇所は好ましくは超音波溶接スポットとする。このための固定箇所は、数箇所あれば十分である。
【００３８】
このベルト式オムツ２を装着するには、腰ベルト１０を広げる。つづいて長さを調節するため、第１の腰ベルト部分１０１の末端部分１０１１を、第１または第２いずれかのミシン目線Ｌにそって分離することができる。
【００３９】
つづいて第２の腰ベルト部分１０２の締結エレメント２６と、第１の腰ベルト部分１０１でそれに対応する突合せ領域とを介して、腰ベルトを閉じる。ここでユーザーまたは介護者は、一般には自由に下方に垂れる本体末端をユーザーの両足間から手繰り寄せ、これをリング状に閉じた腰ベルト１０に再分離可能な状態で固定する。該固定は、腰ベルト１０にとってユーザーと反対側になるベルト外側で行うのが好ましい。本体４は、それ自体任意であって接着によりまたは機械的に作用する締結手段３４を介して、そして図示の場合は本体の左右に突出する閉じしろ３６を介して、再分離可能な状態で固定することができる。そのほか、対応する重ね合わせ領域３８では、好ましくは本体４にとって人体側に当たる本体内側に、任意の仕様かつ広い意味の締結手段を設けるものとする。
【００４０】
図３は、一体型の素材８の特に好ましい折り畳み方を示す。該素材は外側すなわち人体とは反対側で、オムツ本体４の末端に取り付けられている。図示の場合、オムツ本体の末端は、人体側のトップシート３と下着側のバックシート５によって形成されている。折り畳み部分は左右両側とも４本の折り目２０を持ち、したがっていずれの折り畳み部分もダブルＺ字形である。該ベルトは非対称形に折り畳まれている。長い方の第１の腰ベルト部分１０１の折り幅（Ｆ１、ｌ）は、短い方の第２の腰ベルト部分１０２の折り幅（Ｆ２、ｌ）よりも大きい。
【００４１】
腰ベルト１０の全長（本体上の横方向長さを含む。したがって腰周り全体の円周長さ）は、約１４００ｍｍである（腰ベルト１０を閉じるときオーバーラップ領域があっても、この場合無視する）。ベルト幅、すなわち本体長手方向１８におけるベルトの寸法は、５０から１００ｍｍである。
【００４２】
図４ａから４ｅは、本発明によるベルト式オムツの製造方法、腰ベルト１０の製造方法を示す。この場合、エンドレスな材料シート４２を機械運転方向４０に供給する。材料シートにはすでにミシン目線Ｌが施されている。該ベルト材料に、後の時点で切り離し手段を設けることもできることは、自明である。図４ａの場合、材料シート４２は例えば２本の折り目２０により、すなわちＺ字形に折り畳むことができる。折り目を３本、４本、またはそれ以上にして折り畳むことも考えられよう。上下に折り重ねられた小部分３０は、図４ｂに模式的に記載するように、再分離可能な状態で互いに固定されている。好ましい方法として、これをほぼスポット状の固定箇所３２により、そして特には超音波溶接スポットにより行うことができる。図４ｃは、折り畳まれた材料シート４２の一方の側における締結エレメント２６の取り付けを示す。
【００４３】
次には図４ｄに記載するように、材料シート４２で長手方向４０に互いに間隔を取る領域４６において、クロックパルスによる方法で接着剤４４を領域ごとに塗布することが好ましい。
【００４４】
次には図４ｅに説明するように、エンドレスに供給される材料シート４２から、長手方向切断物４７を、長手方向４０を横切って切断する。この長手方向切断物は、横方向に一体型につながる素材８であって、腰ベルト１０を形成するものである。図４ｅに記載する通り、この切断は、接着剤が塗布されない領域４８で行われる。
【００４５】
こうして分離された材料シート４２の長手方向切断物４７は、次にオムツ本体４の外側１２に、分離できない状態で取り付けられるのが好ましい。これは図１に記載の通り、すでに説明した通りである。
【図面の簡単な説明】
【００４６】
【図１】腰ベルトを広げたときの本発明によるベルト式オムツの模式図である。
【図２】腰ベルトを畳んだときの本発明によるベルト式オムツの模式図である。
【図３】図２のベルト式オムツを断面Ａ‐Ａで切った模式断面図であって、腰ベルトの第１の折り畳み部分（訳注：原文のまま翻訳）を示す。
【図４ａ】腰ベルト切断物を形成する材料シートの供給、折り畳み、固定、接着剤塗布及び切断の模式図である。
【図４ｂ】腰ベルト切断物を形成する材料シートの供給、折り畳み、固定、接着剤塗布及び切断の模式図である。
【図４ｃ】腰ベルト切断物を形成する材料シートの供給、折り畳み、固定、接着剤塗布及び切断の模式図である。
【図４ｄ】腰ベルト切断物を形成する材料シートの供給、折り畳み、固定、接着剤塗布及び切断の模式図である。
【図４ｅ】腰ベルト切断物を形成する材料シートの供給、折り畳み、固定、接着剤塗布及び切断の模式図である。
【図１】
2008515497.tif 000003
【図２】
2008515497.tif 000004
【図３】
2008515497.tif 000005
【図４ａ】
2008515497.tif 000006
【図４ｂ】
2008515497.tif 000007
【図４ｃ】
2008515497.tif 000008
【図４ｄ】
2008515497.tif 000009
【図４ｅ】
2008515497.tif 000010
【国際調査報告】
2008515497.tif 000011
2008515497.tif 000012
2008515497.tif 000013
2008515497.tif 000014